(57)【特許請求の範囲】
【請求項１】
外周面にテープを巻回する円筒状の樹脂材料によるハブの一方の端部に、円盤状の樹脂材料による下フランジと前記ハブの一方の端部内周部を閉塞するように底壁とが連接されて一体成形されており、前記ハブの他方の開口端部に、円盤状の樹脂材料により別体成形された上フランジを溶着してなる記録メディアテープ用リールにおいて、
前記上フランジは中央に円形状の開口部があり、前記中央の円形状の開口部の周縁が前記ハブの他方の開口端部に溶着され、
前記上フランジが下フランジと同一の厚さであり、該上フランジを前記一体成形されたハブおよび下フランジの樹脂材料よりも弾性率の高い樹脂材料で成形したことを特徴とする記録メディアテープ用リール。
【請求項２】
外周面にテープを巻回する円筒状の樹脂材料によるハブの一方の端部に、円盤状の樹脂材料による下フランジと前記ハブの一方の端部内周部を閉塞するように底壁とが連接されて一体成形されており、前記ハブの他方の開口端部に、円盤状の樹脂材料により別体成形された上フランジを溶着してなる記録メディアテープ用リールにおいて、
前記上フランジは中央に円形状の開口部があり、前記中央の円形状の開口部の周縁が前記ハブの他方の開口端部に溶着され、
前記上フランジが下フランジと同一の厚さであり、該上フランジを前記一体成形されたハブおよび下フランジの樹脂材料よりも弾性率の高い樹脂材料で成形するとともに、前記ハブの樹脂材料の母材と、前記フランジの樹脂材料の母材とが相溶性がない場合に、少なくとも一方の樹脂材料に相溶性のある樹脂を配合して溶着性を得ることを特徴とする記録メディアテープ用リール。
【発明の詳細な説明】
【０００１】
【発明の属する技術分野】
本発明は、外周面にテープを巻回する円筒状のハブの端部に円盤状のフランジを溶着してなる記録メディアテープ用リールに関するものである。
【０００２】
【従来の技術】
コンピュータ等の外部記憶装置等の記録再生装置に用いられる記録メディアの一種として磁気テープ等の記録メディアテープがあり、この記録メディアテープはリールに巻装されてカートリッジケースに収容された１リールや２リールタイプの記録メディアカートリッジが提供され、記録再生装置に装填されてリールの回転に伴って記録メディアテープが走行され、その記録面に記録再生が行われる。
【０００３】
例えば、外部記憶用磁気テープにおいては、最近、１巻あたりに記録できる容量も数十ＧＢから数百ＧＢに及び、高容量化されている。この高容量を実現するため、トラックピッチ幅を狭くしたり、テープ厚みを薄くして収納テープ量を長くしたり、サーボ信号を書き込んだりしている。これに伴い、ドライブ装置のテープ走行機構、カートリッジ構造にも高精度が要求され、特に記録メディアテープが巻かれるリールの形状精度、強度が必要とされる。
【０００４】
上記リールは、外周面にテープを巻回する円筒状のハブと、このハブの両端から円盤状に延びて巻装されたテープの両側面に位置するフランジとで構成されている。一般に、このリールを樹脂成形品で構成する場合には、一方のフランジとハブとを一体に成形し、このハブの端部に別途に成形した他方のフランジを固着している。
【０００５】
上記ハブとフランジの固着は、通常、超音波溶着によって行っている。この超音波溶着は、加工時間が短く、成形品を直接溶融接合させる点でランニングコストが低くなり、リールの製造においては汎用されている。
【０００６】
【発明が解決しようとする課題】
ところで、前述のように記録メディアテープの高記録密度化が図られると、テープの幅方向の振れによる記録再生特性への影響が発生し、テープの走行高さ精度がより厳密に要求される。テープの走行位置の変動が大きいとリード／ライトのエラーが多くなり、信頼性が低下する。
【０００７】
また、ヘッドへの当たりを良好として密着性を高めるために、テープテンションが大きくなる傾向があり、このテープテンションが増大すると、リールにかかる負荷が大きくなり、その負荷によって例えばハブが圧縮されてフランジが広がるような変形が生じ、テープの走行高さの規制が不十分となってエラーの発生が増大する問題がある。
【０００８】
一方、従来のリールにおけるフランジは、テープの巻き量、巻き状態が観察できるように透明材料で形成され、その弾性率すなわち強度がハブとは異なることによって上記の変形が大きく発生する傾向にあった。特に、ハブの端部にフランジを溶着した場合に、超音波振動を印加する溶着側のフランジの強度が低下する可能性が大きい。
【０００９】
本発明は上記点に鑑みなされたもので、テープテンションの増大に伴う巻き負荷および溶着に伴う変形を抑制しテープ走行高さ精度を確保して良好な記録再生特性が得られるようにした記録メディアテープ用リールを提供することを目的とするものである。
【００１０】
【課題を解決するための手段】
本発明の記録メディアテープ用リールは、外周面にテープを巻回する円筒状の樹脂材料によるハブの一方の端部に、円盤状の樹脂材料による下フランジと前記ハブの一方の端部内周部を閉塞するように底壁とが連接されて一体成形されており、前記ハブの他方の開口端部に、円盤状の樹脂材料により別体成形された上フランジを溶着してなる記録メディアテープ用リールにおいて、前記上フランジは中央に円形状の開口部があり、前記中央の円形状の開口部の周縁が前記ハブの他方の開口端部に溶着され、前記上フランジが下フランジと同一の厚さであり、該上フランジを前記一体成形されたハブおよび下フランジの樹脂材料よりも弾性率の高い樹脂材料で成形したことを特徴とするものである。
【００１２】
本発明の他の記録メディアテープ用リールは、外周面にテープを巻回する円筒状の樹脂材料によるハブの一方の端部に、円盤状の樹脂材料による下フランジと前記ハブの一方の端部内周部を閉塞するように底壁とが連接されて一体成形されており、前記ハブの他方の開口端部に、円盤状の樹脂材料により別体成形された上フランジを溶着してなる記録メディアテープ用リールにおいて、前記上フランジは中央に円形状の開口部があり、前記中央の円形状の開口部の周縁が前記ハブの他方の開口端部に溶着され、前記上フランジが下フランジと同一の厚さであり、該上フランジを前記一体成形されたハブおよび下フランジの樹脂材料よりも弾性率の高い樹脂材料で成形するとともに、前記ハブの樹脂材料の母材と、前記フランジの樹脂材料の母材とが相溶性がない場合に、少なくとも一方の樹脂材料に相溶性のある樹脂を配合して溶着性を得ることを特徴とするものである。
【００１３】
【発明の効果】
上記のような本発明によれば、外周面にテープを巻回する円筒状の樹脂材料によるハブの一方の端部に下フランジと前記ハブの一方の端部内周部を閉塞するように底壁とが連接されて一体成形され、前記ハブの他方の開口端部に別体成形された上フランジの中央の円形状の開口部の周縁が溶着され、前記上フランジが下フランジと同一の厚さであり、該上フランジを前記一体成形されたハブおよび下フランジの樹脂材料よりも弾性率の高い樹脂材料で成形したことにより、ハブおよび下フランジの強度よりも上フランジの強度が高まり、この上フランジと溶着している前記ハブの開口端部の変形を抑制でき、大きなテープテンションでテープが巻かれてもハブの開口端部が中心側に倒れ込んで上フランジの外周縁が外側に開くような変形が抑制でき、回転に伴うフランジ外周縁の振れが小さくテープ走行高さ精度を確保して良好な記録再生特性が得られ、高容量化に対して十分に対応可能となる。
【００１４】
【発明の実施の形態】
以下、図面に示す実施の形態に基づいて本発明を詳細に説明する。図１は一つの実施の形態における記録メディアテープ用リールをドライブ装置の一部と共に示す断面図である。
【００１５】
リール１は、磁気テープ等の記録メディアテープ（図示せず）が外周面２ａに巻回される円筒状のハブ２と、このハブ２の一方の端部（図で下方）の外周から径方向に円盤状に張り出した下フランジ３とが樹脂材料により一体成形され、上記ハブ２の他方の端部（図で上方）に樹脂材料により別体成形された円盤状の上フランジ４が超音波溶着されてなる。
【００１６】
つまり、上フランジ４は中央の円形状開口の周縁に突出するボス部４ｂを備え、このボス部４ｂがハブ２の開口した端部内周面に嵌装され、不図示の溶着ホーンが図の上方から押し付けられ、フランジ面４ａの内周部とハブ２の端面２ｂとの接触面が、印加された超音波振動により溶着されている。
【００１７】
上記ハブ２の内周側部分には円盤状の下フランジ３の内周部を閉塞するように底壁５が連接され、この底壁５の外表面にはリール１を回転駆動するためのリールギヤ６が環状に刻設され、さらに、このリールギヤ６より内周側にはマグネット式吸引用の環状金属板によるリールプレート７が成形時にインサートされている。
【００１８】
上記リール１は記録メディアテープが巻回されて、不図示のカートリッジケースに収納され、ケースの底面に開口された開口部からリール１のリールギヤ６が露出するように記録メディアカートリッジが構成される。
【００１９】
また、ドライブ装置１０は、回転シャフト１１の上端面に円環状のドライブギヤ１２とマグネット（図示せず）を備え、そのチャッキング動作は不図示のバケットに装填されたカートリッジが回転シャフト１１に対して下降し、ドライブギヤ１２がリールギヤ６に噛合すると共に、マグネットによりリールプレート７を吸引して噛合状態を保持する。
【００２０】
そして、前記リール１における上フランジ４が、ハブ２および下フランジ３の樹脂材料と同等または同等以上の弾性率を有する樹脂材料で成形されている。両者の樹脂材料は、巻き付けられる記録メディアテープのテープテンションに対応した弾性率（強度）を有すると共に、相互に溶着可能な材料が選定される。特に、ハブ２の溶着側（図で上端）が開口しており、上フランジ４も中央が開口しているため、なおかつ、一体のハブ２と下フランジ３に比べ溶着側は撓みやすい構造となっているため、上フランジ４はハブ２の樹脂材料よりも弾性率の高い樹脂材料で構成するのが好ましい。
【００２１】
上記ハブ２の樹脂材料と上フランジ４の樹脂材料の具体例を、下記の実施例１〜４に示す。
【００２２】
＜参考例１＞
ハブ２がガラス繊維強化ポリカーボネイト樹脂で、上フランジ４が同様にガラス繊維強化ポリカーボネイト樹脂で成形されてなる。上フランジ４がハブ２と同等の弾性率を有し、相互に溶着可能である。
【００２３】
＜実施例１＞
ハブ２がガラス繊維強化ポリカーボネイト樹脂で、上フランジ４がカーボン繊維強化ポリカーボネイト樹脂で成形されてなる。上フランジ４がハブ２と同等以上の弾性率を有し、相互に溶着可能である。
【００２４】
＜実施例２＞
ハブ２がポリカーボネイト／ＡＢＳアロイ樹脂で、上フランジ４がガラス繊維強化ポリカーボネイト樹脂で成形されてなる。上フランジ４がハブ２と同等以上の弾性率を有し、相互に溶着可能である。
【００２５】
＜実施例３＞
ハブ２がポリエーテルイミド／ポリカーボネイト樹脂で、上フランジ４がカーボン繊維強化ポリカーボネイト樹脂で成形されてなる。この例は、ハブ２および上フランジ４がさらに高い弾性率を有しているが、ハブ２の樹脂と上フランジ４の樹脂の母材には相溶性がなく、ハブ２側に相溶性のある樹脂を配合したことで両者が溶着可能である。
【００２６】
本実施の形態（実施例１〜３）によれば、上フランジ４の樹脂材料をハブ２および下フランジ３の樹脂材料より高い弾性率を有するものとし、上フランジ４の強度が高まると共に、リール１全体としての強度も高まり、記録容量の増加に伴う大きなテープテンションでのテープの巻き付けに対する変形を低減し、さらに、ハブ２と上フランジ４との溶着に伴う強度低下、変形を抑制でき、リール１が回転駆動され、リール１の回転に伴って記録メディアテープの走行が行われる際に、上フランジ４および下フランジ３の面振れが小さく、走行する記録メディアテープの高さ位置等に影響を与えることなく、この記録メディアテープが正確な高さで記録再生装置の走行路を走行し、高記録密度における記録再生が良好に行え信頼性が高められる。
【図面の簡単な説明】
【図１】本発明の一つの実施の形態によるリールの断面図
【符号の説明】
１    リール
２    ハブ
2a    外周面
2b    端面
３    下フランジ
４    上フランジ
4a    フランジ面
4b    ボス部
６    リールギヤ
10    ドライブ装置
12    ドライブギヤ
【図１】
0004651869.tif 000002